(57)【要約】【課題】  簡単な構成で容易に角度の調整ができるアンカー台座を提供することである。【解決手段】  アンカー台座１は、受圧板６の上に設置される固定プレート２と、該固定プレート２の上面に回転可能に重ね合わされた回転プレート３とからなり、この固定プレート２と回転プレート３とは円盤の中央部に円孔４を開口し、かつ側面視において一端部から他端部にかけて漸次傾斜して形成されものであり、回転プレート３の下面の円孔周囲に設けた嵌合突部１０が固定プレート２の円孔４の内側に嵌合され、該円孔４の周縁に適宜間隔ごとに設けた掛合溝９に、嵌合突部１０の周面に設けた少なくとも一つの掛合突起８が掛合されたものである。【選択図】図１
2005076259.tif 000002
【特許請求の範囲】
【請求項１】
受圧板の上に設置される固定プレートと、該固定プレートの上面に回転可能に重ね合わされた回転プレートとからなり、この固定プレートと回転プレートとは円盤の中央部に円孔を開口し、かつ側面視において一端部から他端部にかけて漸次傾斜して形成されものであり、回転プレートの下面の円孔周囲に設けた嵌合突部が固定プレートの円孔の内側に嵌合され、該円孔の周縁に適宜間隔ごとに設けた掛合溝に、嵌合突部の周面に設けた少なくとも一つの掛合突起が掛合されたことを特徴とするアンカー台座。
【請求項２】
回転プレートの側面に掛合突起用目印が形成され、該掛合突起用目印が設けられた箇所は少なくとも掛合突起が設けられた箇所と一致する箇所であることを特徴とする請求項１に記載のアンカー台座。
【請求項３】
法面用アンカー台座の上に設置される固定プレートと、該固定プレートの上面に回転可能に重ね合わされた回転プレートとからなり、この固定プレートと回転プレートとは円盤の中央部に円孔を開口し、かつ側面視において一端部から他端部にかけて漸次傾斜して形成されものであり、回転プレートの下面に設けた１つまたは１つ以上の掛合突起が固定プレートの上面に適宜間隔ごとに設けた掛合凹部に掛合されたことを特徴とするアンカー台座。
【発明の詳細な説明】
【技術分野】
【０００１】
本発明はアンカー台座に関するものである。
【背景技術】
【０００２】
従来のアンカー台座としては、例えば特開２０００−２５７０５９号公報の発明がある。これはアンカー孔の開孔を覆う角度調整台座と、この台座の下部支圧プレートに重ね合わせた調整プレートと、該調整プレートに重ね合わせた上部支圧プレートとからなり、前記角度調整台座に種々の傾角のものを用意しておき、法面の角度などに応じて、必要な角度調整台座を使用するようにしている。
【特許文献１】特開２００３−２５７０５９号公報
【発明の開示】
【発明が解決しようとする課題】
【０００３】
しかし、上記のようなアンカー台座は大がかりな構成であり、角度調整台座によって、アンカー方向とケーブル緊張ジャッキを据え付ける受圧板面とがなす角度が直交になるように調整する他、調整プレートと上部支圧プレートを動かすにも大がかりになるという問題があった。
【０００４】
本発明は上記のような問題に鑑みてなされたものであり、その目的は、簡単な構成で容易にアンカー方向とケーブル緊張ジャッキを据え付ける面とがなす角度の調整ができるアンカー台座を提供することである。
【課題を解決するための手段】
【０００５】
本発明のアンカー台座は、受圧板の上に設置される固定プレートと、該固定プレートの上面に回転可能に重ね合わされた回転プレートとからなり、この固定プレートと回転プレートとは円盤の中央部に円孔を開口し、かつ側面視において一端部から他端部にかけて漸次傾斜して形成されものであり、回転プレートの下面の円孔周囲に設けた嵌合突部が固定プレートの円孔の内側に嵌合され、該円孔の周縁に適宜間隔ごとに設けた掛合溝に、嵌合突部の周面に設けた少なくとも一つの掛合突起が掛合されたことを特徴とする。また回転プレートの側面に掛合突起用目印が形成され、該掛合突起用目印が設けられた箇所は少なくとも掛合突起が設けられた箇所と一致する箇所であることを含むものである。
またアンカー台座は、法面用アンカー台座の上に設置される固定プレートと、該固定プレートの上面に回転可能に重ね合わされた回転プレートとからなり、この固定プレートと回転プレートとは円盤の中央部に円孔を開口し、かつ側面視において一端部から他端部にかけて漸次傾斜して形成されものであり、回転プレートの下面に設けた１つまたは１つ以上の掛合突起が固定プレートの上面に適宜間隔ごとに設けた掛合凹部に掛合されたことを特徴とする。
【発明の効果】
【０００６】
回転プレートと固定プレートとが掛合突起で掛合されているため、回転プレートの回転が簡単にできるので、アンカー方向とケーブル緊張ジャッキを据え付ける面とがなす角度の調整を簡単かつ正確にすることができる。
【発明を実施するための最良の形態】
【０００７】
回転プレートの下面の円孔周囲に設けた嵌合突部が固定プレートの円孔の内側に嵌合され、該円孔の周縁に適宜間隔ごとに設けた掛合溝に、嵌合突部の周面に設けた一つの掛合突起が掛合されたことにより、回転プレートが簡単に回転できるので、アンカー方向とケーブル緊張ジャッキを据え付ける面とがなす角度の調整が容易にできるという課題を達成することができる。
【実施例１】
【０００８】
図１〜図５はアンカー台座１の実施例１である。このアンカー台座１は、コンクリート製の固定プレート２と、この固定プレート２の上面に回転可能に重ね合わされたコンクリート製の回転プレート３とから構成されている。
【０００９】
固定プレート２は中央部に円孔４が開口され、かつ側面視において一端部から他端部にかけて漸次上側に傾斜した円盤であり、下面の突起５が受圧板６の貫通孔７に嵌合されて受圧板６の上面に設置されている。また円孔４の周縁には、後述する回転プレート３の掛合突起８が掛合される掛合溝９が適宜間隔ごとに形成されている。
【００１０】
また回転プレート３は固定プレート２の円孔４と同芯円上に円孔４が開口され、かつ側面視において一端部から他端部にかけて漸次上側に傾斜した円盤であり、下面の円孔周囲に突設した嵌合突部１０が固定プレート２の円孔４の内側に嵌合されている。また嵌合突部１０の周面には掛合突起８が設けられ、該掛合突起８が固定プレート２の掛合溝９に掛合されて、回転プレート３の回転を規制している。なお、掛合突起８は一つに限らず、必要に応じて複数設けることもできる。
【００１１】
そして、掛合突起８を掛合溝９から外すと回転プレート３の回転が自由になるので、図５に示すように、法面の傾斜やその他の状況に合わせて、回転プレート３を回転させる。
この回転によって、図１に示すように、アンカー方向１７とケーブル緊張ジャッキを据え付ける回転プレート３上面とがなす角度が直交になる。
【００１２】
また図６および図７はアンカー台座１２の実施例２であり、このアンカー台座１２は回転プレート３の外周面に掛合突起用目印１３が設けられたものであり、これ以外は実施例１のアンカー台座１と同じ構成である。この掛合突起用目印１３は、掛合突起８が設けられた箇所と一致する回転プレート３の外周面と、その反対側の外周面、およびこれらと直交する外周面の４ケ所に設けられている。このような掛合突起用目印１３により掛合突起８が設けられた箇所が明確になるため、回転プレート３の回転が容易になり、微妙な回転にも対応させることができる。また図６において掛合突起８は１ケ所であるが、掛合突起用目印１３が設けられた箇所にも設けることができる。また上記の掛合突起用目印１３は
回転プレート３と同じ固定プレート２の外周面にも設ける。
【００１３】
また図８〜図１１はアンカー台座１４の実施例３であり、このアンカー台座１４は、コンクリート製の固定プレート１５と、この固定プレート１５の上面に回転可能に重ね合わされたコンクリート製の回転プレート１６とから構成されている。
【００１４】
固定プレート１５は中央部に円孔４が開口され、かつ側面視において一端部から他端部にかけて漸次上側に傾斜した円盤であり、上面に、後述する回転プレート１６の掛合突起８が掛合される掛合凹部１１が適宜間隔ごとに形成されている。
【００１５】
また回転プレート１６は固定プレート１５の円孔４と同芯円上に円孔４が開口され、かつ側面視において一端部から他端部にかけて漸次上側に傾斜した円盤であり、下面に複数の掛合突起８が設けられ、該掛合突起８が固定プレート１５の掛合凹部１１に掛合されて、回転プレート１６の回転を規制している。そして、掛合突起８を掛合凹部１１から外すと、回転プレート３が自由に回転できるようになる。
【産業上の利用可能性】
【００１６】
アンカー方向と、ケーブル緊張ジャッキを据え付ける面とがなす角度が、直交になるようなグラウンドアンカーの頭部を定着するためのアンカー台座が提供できる。
【図面の簡単な説明】
【００１７】
【図１】実施例１のアンカー台座の断面図である。
【図２】（１）はアンカー台座の正面図、（２）は固定プレートと回転プレートとを分離した正面図である。
【図３】（１）は固定プレートの断面図、（２）は同平面図である。
【図４】（１）は回転プレートの断面図、（２）は同底面図である。
【図５】回転プレートを回転させたアンカー台座の断面図である。
【図６】実施例２のアンカー台座の正面図である。
【図７】（１）は回転プレートの底面図、（２）は固定プレートの平面図である。
【図８】実施例３のアンカー台座の断面図である。
【図９】回転プレートと固定プレートとを分離した断面図である。
【図１０】固定プレートと回転プレートとを分離した側面図である。
【図１１】（１）は回転プレートの底面図、（２）は固定プレートの平面図である。
【符号の説明】
【００１８】
１、１２、１４  アンカー台座
２、１５  固定プレート
３、１６  回転プレート
４  円孔
５  突起
６  受圧板
７  貫通孔
８  掛合突起
９  掛合溝
１０  嵌合突部
１１  嵌合凹部
１３  掛合突起用目印
【図１】
2005076259.tif 000003
【図２】
2005076259.tif 000004
【図３】
2005076259.tif 000005
【図４】
2005076259.tif 000006
【図５】
2005076259.tif 000007
【図６】
2005076259.tif 000008
【図７】
2005076259.tif 000009
【図８】
2005076259.tif 000010
【図９】
2005076259.tif 000011
【図１０】
2005076259.tif 000012
【図１１】
2005076259.tif 000013